(57)【要約】【課題】本発明は、押出口から下方へ垂下するパリソンのパリソン内壁にエアを供給して冷却することにより、パリソンのドローダウンを抑制することを目的とする。【解決手段】本発明によるパリソン押出方法及び装置は、クロスヘッド(1)の押出口(5)から垂下するパリソン(10)のパリソン内壁(10a)にエア吹出体(9)からエア(7)を供給して前記パリソン内壁(10a)を冷却させ、前記パリソン(10)のドローダウンを抑制するようにした方法と構成である。【選択図】図１
2007296784.tif 000002
【特許請求の範囲】
【請求項１】
クロスヘッド(1)のダイ(2)とコア(3)間に形成された押出口(5)からパリソン(10)を押出すようにしたパリソン押出方法において、
前記押出口(5)から垂下する前記パリソン(10)のパリソン内壁(10a)にエア吹出体(9)からエア(7)を供給して前記パリソン内壁(10a)を冷却させ、前記パリソン(10)のドローダウンを抑制することを特徴とするパリソン押出方法。
【請求項２】
前記コア(3)内には、冷却パイプ(6)が設けられ、前記冷却パイプ(6)の下端(6a)には前記エア(7)を吐出するための前記エア吹出体(9)が設けられていることを特徴とする請求項１記載のパリソン押出方法。
【請求項３】
前記エア吹出体(9)には、前記エア(7)をラジアル方向に吹出すための複数の吹出口(8)を有することを特徴とする請求項１又は２記載のパリソン押出方法。
【請求項４】
前記エア吹出体(9)は、前記冷却パイプ(6)に対して着脱自在であることを特徴とする請求項１ないし３の何れかに記載のパリソン押出方法。
【請求項５】
クロスヘッド(1)のダイ(2)とコア(3)間に形成された押出口(5)からパリソン(10)を押出すようにしたパリソン押出装置において、
前記押出口(5)から垂下する前記パリソン(10)のパリソン内壁(10a)にエア吹出体(9)からエア(7)を供給して前記パリソン内壁(10a)を冷却させ、前記パリソン(10)のドローダウンを抑制することを特徴とするパリソン押出装置。
【請求項６】
前記コア(3)内には、冷却パイプ(6)が設けられ、前記冷却パイプ(6)の下端(6a)には前記エア(7)を吐出するための前記エア吹出体(9)が設けられていることを特徴とする請求項５記載のパリソン押出装置。
【請求項７】
前記エア吹出体(9)には、前記エア(7)をラジアル方向に吹出すための複数の吹出口(8)を有することを特徴とする請求項５又は６記載のパリソン押出装置。
【請求項８】
前記エア吹出体(9)は、前記冷却パイプ(6)に対して着脱自在であることを特徴とする請求項５ないし７の何れかに記載のパリソン押出装置。
【発明の詳細な説明】
【技術分野】
【０００１】
本発明は、パリソン押出方法及び装置に関し、特に、押出口から下方へ垂下するパリソンのパリソン内壁にエアを供給して冷却することにより、パリソンのドローダウンを抑制するための新規な改良に関する。
【背景技術】
【０００２】
従来、用いられていた中空成形方法及び装置としては、例えば、特許文献１に示されるように、クロスヘッドから押出されて垂下するパリソンを金型で挟持した後に切断し、その後、金型をエアノズル打込み位置まで移動させ、エアノズルを金型のパリソン内に打込み、エアを注入してパリソンを中空成形していた。
【０００３】
【特許文献１】特開２００４−５０６６７号公報
【発明の開示】
【発明が解決しようとする課題】
【０００４】
従来の中空成形方法及び装置は、以上のように構成されていたため、次のような課題が存在していた。
すなわち、比較的長さが短く、かつ、直径が小さいパリソンの場合には、その質量自体が軽いため、パリソン自体のドローダウンは殆んど影響が発生しないが、長さが８０〜１００ｃｍ、直径が１００ｃｍ以上のパリソンを用い、大型の中空成形品を中空成形する場合には、ドローダウンが発生し、中空成形後の中空成形品の肉厚が均一でなくなり、中空成形品の品質及び強度にも問題が発生していた。
また、前述の大形の中空成形品を中空成形する場合、樹脂材料が硬くて、かつ、ドローダウンが少ないものは肉厚が均一に近いが、比較的安価で柔らかい樹脂材料を用いる場合には、パリソンのドローダウンが顕著となり、大形中空成形品の肉厚に大きいバラツキが発生していた。
また、前述のパリソンのドローダウンを抑制する（すなわち、製品重量及び肉厚を安定させる）ために、例えば、樹脂温度の低温化、あるいは、押出（射出）速度の高速化で対応しているが、中空成形機の設備コストが大幅に向上すると云う課題が存在していた。
【課題を解決するための手段】
【０００５】
本発明によるパリソン押出方法は、クロスヘッドのダイとコア間に形成された押出口からパリソンを押出すようにしたパリソン押出方法において、前記押出口から垂下する前記パリソンのパリソン内壁にエア吹出体からエアを供給して前記パリソン内壁を冷却させ、前記パリソンのドローダウンを抑制する方法であり、また、前記コア内には、冷却パイプが設けられ、前記冷却パイプの下端には前記エアを吐出するための前記エア吹出体が設けられている方法であり、また、前記エア吹出体には、前記エアをラジアル方向に吹出すための複数の吹出口を有する方法であり、また、前記エア吹出体は、前記冷却パイプに対して着脱自在とした方法であり、また、本発明によるパリソン押出装置は、クロスヘッドのダイとコア間に形成された押出口からパリソンを押出すようにしたパリソン押出装置において、前記押出口から垂下する前記パリソンのパリソン内壁にエア吹出体からエアを供給して前記パリソン内壁を冷却させ、前記パリソンのドローダウンを抑制する構成であり、また、前記コア内には、冷却パイプが設けられ、前記冷却パイプの下端には前記エアを吐出するための前記エア吹出体が設けられている構成であり、また、前記エア吹出体には、前記エアをラジアル方向に吹出すための複数の吹出口を有する構成であり、また、前記エア吹出体は、前記冷却パイプに対して着脱自在とした構成である。
【発明の効果】
【０００６】
本発明によるパリソン押出装置は、以上のように構成されているため、次のような効果を得ることができる。
すなわち、クロスヘッドの押出口から垂下するパリソンのパリソン内壁にエアを供給してパリソン内壁を冷却させることにより、パリソン自体の温度を冷却させてドローダウンを抑制することができ、中空成形品の肉厚を均一とすることができる。
従って、各中空成形品の重量が安定する。
また、パリソンのドローダウンが抑制されることにより、比較的安価で柔らかい樹脂材料でも肉厚を均一にして中空成形することができ、安定した製品を得ることができる。
【発明を実施するための最良の形態】
【０００７】
本発明は、押出口から下方へ垂下するパリソンのパリソン内壁にエアを供給して冷却することにより、パリソンのドローダウンを抑制するようにしたパリソン押出方法及び装置を提供することを目的とする。
【実施例】
【０００８】
以下、図面と共に本発明によるパリソン押出方法及び装置の好適な実施の形態について説明する。
図１において、符号１で示されるものは、周知のクロスヘッドであり、このクロスヘッド１の下部を部分的に示している。
前記クロスヘッド１は、主としてダイ２とその内側で上下動自在に設けられたコア３とから構成され、このダイ２とコア３との間には樹脂流路４に連通する輪状の押出口５が形成されている。
【０００９】
前記コア３の内部には、管状の冷却パイプ６が設けられており、この冷却パイプ６の下端６ａには、エア７及びサポート用エア７ａを吐出するための複数の吹出口８及び８ａを有するエア吹出体９が着脱自在に設けられている。
前記吹出口８は、水平方向に向けて形成されていると共に、前記押出口５から押出されて垂下するパリソン１０のパリソン内壁１０ａに対して直交する方向、すなわち、ラジアル方向に沿ってエア７を吐出し、このパリソン内壁１０ａを冷却することができるように構成されている。
【００１０】
尚、前述の構成においては、コア３内の冷却パイプ６に対してエア吹出体９を設けた場合について述べたが、例えば、図示しない金型側にエア吹出体９を設けて金型側から上方に向けてエアを供給し、前記パリソン１０のパリソン内壁１０ａに図１と同様のエア７の供給を行うように構成することができる。
【００１１】
次に、前述の構成において、実際に中空成形を行う場合について説明する。
まず、図１の状態において、クロスヘッド１のアキュムレータ側（図示せず）から送られてくる溶融樹脂は、樹脂流路４を経て押出口５から輪状に押出され、パリソン１０として金型（図示せず）側へ垂下する。
【００１２】
前記パリソン１０のパリソン内壁１０ａには、前記冷却パイプ６の下端６ａのエア吹出体９の吹出口８から吹出されるエア７によって冷却され、パリソン１０のドローダウンが効果的に抑制され、パリソン１０の全長にわたる肉厚をほぼ均一に制御することができる。
【００１３】
前述のパリソン内壁１０ａに対するエア７の供給状態は、そのパリソン１０を形成するための溶融樹脂の材質、肉厚、温度等により異なってくるが、その内壁全周又は一部分とすることができ、エア吹出体９の形状、吹出口８の形状及び方向（図１のようにパリソン内壁１０ａに対しラジアル方向となるだけでなく、非ラジアル方向等）等を種々変更することができる。
【００１４】
また、前述のようにパリソン１０のドローダウンを効果的に抑制することができるため、例えば、従来、ドローダウンが激しくて使用することが不可能であった柔らかくて安価な樹脂材料に対しても、このドローダウンの抑制によって使用が可能となり、中空成形品のコストダウンに大きく寄与することができる。
【図面の簡単な説明】
【００１５】
【図１】本発明によるパリソン押出方法及び装置を示す要部の断面図である。
【符号の説明】
【００１６】
１    クロスヘッド
２    ダイ
３    コア
４    樹脂流路
５    押出口
６    冷却パイプ
６ａ    下端
７    エア
８    吹出口
９    エア吹出体
１０    パリソン
１０ａ    パリソン内壁
【図１】
2007296784.tif 000003